(57)【要約】【課題】  オゾン発生量が安定し、またオゾン発生素子の寿命も延ばすことができる衣類乾燥機を提供する。【解決手段】  開閉可能な扉を有して衣類を収納する乾燥室３と、この乾燥室３内に供給する温風を発生する温風発生機構（ブロア８，ヒータ１０）や乾燥室３内に供給するオゾンを発生するオゾン発生機構（エアポンプ１１，オゾン発生器１３）を収納する機械室４とを備えると共に、オゾン発生機構のオゾン発生器１３への導入空気を除湿する除湿手段（吸湿材料を備えた吸気フィルタ１９，除湿機構１３ａ）を備えた。【選択図】        図４
2006149932.tif 000002
【特許請求の範囲】
【請求項１】
開閉可能な扉を有して衣類を収納する乾燥室と、この乾燥室内に供給する温風を発生する温風発生機構や乾燥室内に供給するオゾンを発生するオゾン発生機構を収納する機械室とを備えると共に、
前記オゾン発生機構のオゾン発生器への導入空気を除湿する除湿手段を備えたことを特徴とする衣類乾燥機。
【請求項２】
前記除湿手段として、前記機械室の吸気口に配置される吸気フィルタに吸湿材料を備えたことを特徴とする請求項１記載の衣類乾燥機。
【請求項３】
前記除湿手段として、前記オゾン発生機構のオゾン発生器の前段に除湿機構を備えたことを特徴とする請求項１又は請求項２記載の衣類乾燥機。
【請求項４】
前記除湿機構に再生可能な乾燥剤を備えると共に、前記温風発生機構からの温風を前記除湿機構の乾燥剤を介してオゾン発生器外に導く乾燥剤再生流路と、前記温風発生機構から乾燥室への温風の流路を前記乾燥剤再生流路に切り換える流路切換手段とを備えることを特徴とする請求項３記載の衣類乾燥機。
【発明の詳細な説明】
【技術分野】
【０００１】
本願発明は、スーツ等の衣類を乾燥すると共に、脱臭する機能を有する衣類乾燥機に関するものである。
【背景技術】
【０００２】
従来、特許文献１に開示されているように、衣装タンス形状の乾燥室内に複数の衣類を吊り下げ、各衣類を各自自転させながら公転移動可能として、これらの衣類を遠赤外線ヒータおよび除湿機により乾燥させ、この後に乾燥室の内側上面に設けられたオゾン噴射口からのオゾンによる殺菌および脱臭を行う乾燥・殺菌・消臭装置が提案されている。
【０００３】
また、特許文献２には、本体内部に乾燥室とこの乾燥室の上部に位置する送風室とを形成し、送風室にはファンの送風を受けるヒータとオゾン発生装置を設け、乾燥室と送風室を仕切る仕切板にはヒータ及びオゾン発生装置に連通する第１吹出口及び第２吹出口とを形成した衣類乾燥機が提案されている。
【特許文献１】特開２００２−１３６７９８号公報
【特許文献２】実開平４−２８８９５号公報
【発明の開示】
【発明が解決しようとする課題】
【０００４】
しかしながら、上述したような従来のものは、雰囲気の空気をそのまま利用してオゾンを発生させているため、図８に示す環境湿度とオゾン濃度の関係からオゾン発生量（効率）が湿度に大きく左右され、脱臭性能が安定しないという課題があった。また、湿度が高いとオゾン発生素子の寿命が短くなるという課題があった。
【０００５】
そこで、本願発明はこのような課題を解決するためになされたものであり、オゾン発生量が安定し、またオゾン発生素子の寿命も延ばすことができる衣類乾燥機を提供することを目的とするものである。
【課題を解決するための手段】
【０００６】
上記のような目的を達成するために、本願発明は、開閉可能な扉を有して衣類を収納する乾燥室と、この乾燥室内に供給する温風を発生する温風発生機構や乾燥室内に供給するオゾンを発生するオゾン発生機構を収納する機械室とを備えると共に、前記オゾン発生機構のオゾン発生器への導入空気を除湿する除湿手段を備えたことを特徴とするものである。
【０００７】
また、前記除湿手段として、前記機械室の吸気口に配置される吸気フィルタに吸湿材料を備えたことを特徴とするものである。
【０００８】
また、前記除湿手段として、前記オゾン発生機構のオゾン発生器の前段に除湿機構を備えたことを特徴とするものである。
【０００９】
さらに、前記除湿機構に再生可能な乾燥剤を備えると共に、前記温風発生機構からの温風を前記除湿機構の乾燥剤を介してオゾン発生器外に導く乾燥剤再生流路と、前記温風発生機構から乾燥室への温風の流路を前記乾燥剤再生流路に切り換える流路切換手段とを備えることを特徴とするものである。
【発明の効果】
【００１０】
本願発明によれば、オゾン発生機構のオゾン発生器への導入空気を除湿する除湿手段を備えたことにより、オゾン発生器への導入空気が除湿されて低湿度になるため、オゾン発生量が安定し、またオゾン発生素子の寿命も延ばすことができる。
【００１１】
また、前記除湿手段として、機械室の吸気口に配置される吸気フィルタに吸湿材料を備えたことにより、オゾン発生器への導入空気が除湿されて低湿度になるため、オゾン発生量が安定し、またオゾン発生素子の寿命も延ばすことができると共に、温風発生機構への導入空気も除湿されて低湿度になるため、乾燥した温風を乾燥室内に供給することができ、乾燥効率も向上する。
【００１２】
また、前記除湿手段として、オゾン発生機構のオゾン発生器の前段に除湿機構を備えたことにより、オゾン発生器への導入空気を効率良く効果的に除湿することができ、オゾン発生量がさらに安定し、またオゾン発生素子の寿命もより延ばすことができる。
。
【００１３】
さらに、前記除湿機構に再生可能な乾燥剤を備えると共に、温風発生機構からの温風を前記除湿機構の乾燥剤を介してオゾン発生器外に導く乾燥剤再生流路と、温風発生機構から乾燥室への温風の流路を前記乾燥剤再生流路に切り換える流路切換手段とを備えることにより、シリカゲル等の乾燥剤は使用するにつれ湿気を吸収し、徐々に除湿能力を失って行くが、上記乾燥剤再生流路に切り換えることで、温風によって乾燥剤に含まれる湿気は追い出されて外部に放出される。これによって、一度吸湿した乾燥剤をそのまま再生して再利用可能となり、乾燥剤交換の手間や、そのランニングコストを低減することができる。
【発明を実施するための最良の形態】
【００１４】
以下、本願発明の実施形態を図面を参照して詳細に説明する。
【００１５】
図１は、本願発明の衣類乾燥機の一実施形態であるスーツ脱臭乾燥機の外観斜視図、図２（ａ），（ｂ），（ｃ）はその平面図，正面図，側面図、図３はその内部構成を示す一部切欠き正面図、図４はシステム構成図である。
【００１６】
このスーツ脱臭乾燥機は、ビジネスホテルなどの各室に設置したり、フロントで宿泊客の要望に応じて貸し出すのに好適なもので、箱形に形成された本体１内には、開閉可能な扉２を有して衣類を収納する乾燥室３と、この乾燥室３の下部に連接して配置された機械室４が設けられている。
【００１７】
乾燥室３は、図３に示すように上部にスーツの上着５等の衣類をハンガー６に掛けた状態で扉２と平行になるように吊り下げる吊り下げ具７を有して、吊り下げた状態の上着５が収納可能な高さと幅と奥行きを有する大きさに形成されている。すなわち、ハンガー６に掛けたスーツの上着５の高さ，幅，奥行きよりも少し大きめで、具体的に示すと、乾燥室３の高さは１０００〜１２００ｍｍが好ましく、例えば１１００ｍｍ、幅は６００〜６５０ｍｍが好ましく、例えば６００ｍｍ、奥行きは１５０〜３００ｍｍが好ましく、例えばスーツ１着（前後にズボンと上着）なら１５０ｍｍ、前後にスーツ２着（前後にズボンと上着２着分）なら３００ｍｍの大きさとなる。この乾燥室３の下部に連接して配置された機械室４も幅と奥行きは乾燥室３と同じになる。
【００１８】
上記のように、このスーツ脱臭乾燥機は、幅方向，高さ方向に比べて奥行き方向が小さい薄型となっており、特に奥行き方向の設置スペースが小さくて済み、ビジネスホテルなどの各室に設置したり、フロントで宿泊客の要望に応じて貸し出すのに好適なものとなっている。また、扉２は片側に取手２ａがあって他側のヒンジ２ｂで幅方向全体が片開きに開閉し、スーツの上着５等の衣類の出し入れもスムーズに行える。なお、扉２に関しては、図示はしていないが、両開きでも良い。また、扉２の内側には、図３に一部示すように乾燥室３の開口縁に対応して突出する外枠が形成されていて、その内側が乾燥室３の開口に対応する凹部になっており、この空間を利用して本体１の奥行きを大きくすることなく乾燥室３の奥行きを大きくできる。これにより、スーツのズボンと上着をそれぞれハンガーに掛けて乾燥室３内の後（奥）に上着，前にズボンとなるように吊り下げた場合にも、ズボンと扉２の内面が接触して乾燥むらや脱臭むらが生じるのを防ぐことができる。
【００１９】
乾燥室３の下部には、前述したように乾燥室３に連接して機械室４が設けられており、その内部には、図３に示すように、機械室４の幅方向一側（図の右側）にブロア８とその吹出口に接続されたダクト９内に設けられたヒータ１０から成る温風発生機構が配置され、他側（図の左側）にはエアポンプ１１とその吐出配管１２に図３では図示しないが図４に示すように除湿機構１３ａを介して接続されたオゾン発生器１３から成るオゾン発生機構と、その奥側に制御部及び電源が搭載された制御部電源基板１４が配置されている。
【００２０】
このように、乾燥室３の下部に機械室４を配置することにより、比重の軽くなった温風を下から上に送風することができるので送風乾燥効率が向上し、またブロア８等の重量物が収納された機械室４が下部にあるので重心が低くなって安定性が向上すると共に、床置きの場合でも上着５相当の高さの乾燥室３を機械室４の高さ分高くすることができるので、利用者は立った姿勢のままで衣類を掛けやすくなる。また、機械室４内の幅方向一側に温風発生機構を配置し、他側にオゾン発生機構を配置したことにより、乾燥室３の下部に連接されて乾燥室３と同様に奥行きが薄い機械室４でも温風発生機構やオゾン発生機構をバランス良く配置することができる。
【００２１】
上記オゾン発生器１３で発生されたオゾンは配管１５によりヒータ１０直後のダクト９内に供給され、温風と混合されるようになっている。ダクト９は、乾燥室３に向かって漏斗状に拡幅されたダクト室１６に接続されている。なお、オゾン発生器１３からのオゾンをダクト室１６内に直接供給して温風と混合するようにしても良い。
【００２２】
ダクト室１６の天板は乾燥室３の底板となっており、ここに複数のスリットや孔が形成されて、乾燥室３内の衣類（スーツの上着５等）へオゾンを含んだ温風を均一に吹き出す吹き出し部１７が設けられている。図５（ａ），（ｂ），（ｃ）は上記吹き出し部１７の構成例を示す図であり、（ａ）は横方向のスリット１７ａを複数形成したもので、（ｂ）は小さな丸孔１７ｂを複数形成したものであり、（ｃ）は前後方向のスリット１７ｃを複数形成したものである。いずれの場合も、乾燥室３内に吊り下げられたスーツの上着５等の胴部と両袖部を底板に投影した形状位置に合わせて複数のスリットや孔が形成されており、スーツの上着５等の胴部と両袖部へオゾンを含んだ温風を生地量に応じて均一に吹き出すようにして、生地を傷めることなく乾燥や脱臭をむらなく行うことができるようになっている。また、乾燥室３の底部から乾燥室３内に供給される温風やオゾンが乾燥室３内に吊り下げられて下向きに開口する上着５等の衣類の裾口や袖口から内側に入り込むので、上着５等の衣類の内側まで乾燥や脱臭を効率良く行うことができる。
【００２３】
また、機械室４の前面には吸気口１８が形成されており、この吸気口１８には吸気フィルタ１９が装着されている。この吸気フィルタ１９は吸湿材料を備えたもので、吸湿材料は例えばシリカゲルや吸湿繊維で構成されている。図６は吸湿繊維を備えた吸気フィルタ１９の概要を示す図で、白抜き矢印で示す空気の流入側に吸気フィルタとしてのネット１９ａが配置され、その空気流出側に吸湿フィルタとして吸湿繊維１９ｂが配置されている。吸湿繊維１９ｂとしては、例えばポリアクリル酸ナトリウム塩を主成分とするポリマーを直接紡糸し、繊維形状化させた高吸水，高吸湿繊維の公知のものを使用することができる。
【００２４】
従って、ブロア８が駆動されると、吸気口１８の吸気フィルタ１９を通して機外の空気が除湿されて機械室４内に導入されるようになっている。導入空気は、ブロア８によってダクト９に送られ、ダクト９内部のヒータ１０を通過して所定の温度（約７０℃）に加熱され、ダクト室１６に送り込まれる。そして、ダクト室１６から上述したような吹き出し部１７を通して乾燥室３内へ吹き出される。
【００２５】
なお、吸気口１８は機械室４の側面に形成しても良い。また、吸気口１８に装着される吸気フィルタ１９に吸湿材料を備えても良い。このように、機械室４の前面もしくは側面に吸気口１８を備えることにより、吸気口１８からの機外の空気で制御部電源基板１４に搭載された制御部や電源等を常時冷却することができると共に、背面を壁に密接して配置しても吸気が妨げられることがなくなる。また、吸気フィルタ１９に吸湿材料を備えれば、オゾン発生器１３への導入空気が除湿されて低湿度になるため、オゾン発生量が安定し、またオゾン発生素子の寿命も延ばすことができると共に、温風発生機構への導入空気も除湿されて低湿度になるため、乾燥した温風を乾燥室３内に供給することができ、乾燥効率も向上する。
【００２６】
また、エアポンプ１１により送られた空気は、図４に示した除湿機構１３ａを介してオゾン発生器１３を経由し、ヒータ１０直後のダクト９内（もしくはダクト室１６）に送られる。除湿機構１３ａとしては、例えば図７に示すようなペルチェ素子１３ｂを用いた除湿機構を用いることができる。ペルチェ素子１３ｂは、周知のようにｐ型およびｎ型半導体を熱的に並列に配置して、電気的に直列に接続して電流を流すと、ペルチェ効果によって、それぞれの面において吸熱と放熱が起こるもので、図７に示すようにペルチェ素子１３ｂの冷却側（図の左側）と加熱側（図の右側）にそれぞれアルミ等から成るヒートシンク１３ｃ，１３ｄが配置されており、ファンモータ１３ｅ（本実施形態の場合はエアポンプ１１）からの空気はペルチェ素子１３ｂの冷却側のヒートシンク１３ｃで除湿された後、加熱側のヒートシンク１３ｄで暖められ、相対湿度を低くした状態でオゾン発生器１３に送られる。
【００２７】
また、機械室４の下部，すなわち本体１の下部には、前倒れ防止用の脚部２０が備えられている。本実施形態の前倒れ防止用脚部２０は前面側全体に板状に張り出させたものであるが、少なくとも左右一対あれば良い。このように、本体１の下部に前倒れ防止用の脚部２０を備えたことにより、上述したように奥行きを薄く形成して壁際に床置きしても地震等で前倒れするのを防ぐことができる。
【００２８】
一方、乾燥室３の上部前面の一側には排気口２１が形成されており、この排気口２１には余剰のオゾンを分解したり、吸着したりして除去するオゾン除去フィルタ２２が装着され、本実施形態では図４に示すようにオゾン除去フィルタ２２と共に前述したと同様な吸湿材料から成る吸湿フィルタ２２ａが備えられている。乾燥室３内で衣類（スーツの上着５用）を脱臭乾燥した空気は上部のオゾン除去フィルタ２２と吸湿フィルタ２２ａを通過し、排気口２１より機外に放出される。このように、乾燥室３の上部に排気口２１を配置したことにより、温風の上昇による自然排気を利用して排気を効率良く行うことができる。
【００２９】
また、乾燥室３の上部前面の中央部には、前述した制御部電源基板１４に接続されて運転開始や運転時間設定等を行うための操作パネル２３が配置されている。このように、乾燥室３の前面上部に操作パネル２３を配置したことにより、乾燥室３の前面側部等に配置したものに比べて乾燥室３の幅を有効に利用できると共に、吊り下げた衣類（スーツの上着５等）の上方に操作パネル２３があるので、視認性や操作性が向上する。
【００３０】
図４のシステム構成図に示すように、上述したブロア８，ヒータ１０，エアポンプ１１及びオゾン発生器１３は、乾燥室３上部に配置された操作パネル２３からの入力に従い、制御部電源基板１４より電源が供給されると共に最適制御されて、運転されるようになっている。なお、除湿機構１３ａが図７に示したようなペルチェ素子１３ｂを用いた除湿機構の場合は制御部電源基板１４に接続されるが、吸湿材料の場合は図４のように接続されない。
【００３１】
以上の構成において、スーツの上着５をハンガー６に掛けた状態で乾燥室３内に扉２と平行になるように吊り下げ、扉２を閉じて操作パネル２３により運転開始を選択すると、ブロア８，ヒータ１０，エアポンプ１１及びオゾン発生器１３が動作する。
【００３２】
ブロア８は機械室４内に設置されているため、ブロア８の動作と共に機械室４内部には吸気口１８に設けた吸気フィルタ１９を通過した清浄な空気が常に導入される。このため、機械室４内の制御部電源基板１４に搭載された制御部や電源等は常時冷却される。また、エアポンプ１１も機械室４内に設置されているため、エアポンプ１１からの空気によりオゾン発生器１３内のオゾン発生素子が埃等により汚れたり、劣化することもない。
【００３３】
さらに、吸気フィルタ１９は前述したように吸湿繊維１９ｂ等の吸湿材料を備えているため、機械室４には除湿された低湿度の空気が導入されることになる。これにより、図８に示した環境湿度とオゾン濃度の関係から、オゾン発生器１３でのオゾン発生量が安定し、またオゾン発生素子の寿命も延ばすことができると共に、温風発生機構への導入空気も除湿されて低湿度になるため、乾燥した温風を乾燥室３内に供給することができ、乾燥効率も向上する。吸湿繊維１９ｂやシリカゲル等の吸湿材料を備えた吸気フィルタ１９は着脱可能であり、またインジケータ（色変化）により吸湿度合いが確認できるため、吸湿量が多い場合は、天日干し等により再生が可能であり繰り返し使用できるため、経済的である。
【００３４】
ブロア８により送られた空気は、ダクト９内に備えられたヒータ１０により所定の温度（約７０℃）まで加熱されて、ダクト室１６に送られ、ダクト室１６の天板（乾燥室３の底板）に形成された吹き出し部１７から乾燥室３内に温風として吹き出される。
【００３５】
また、エアポンプ１１により送られた空気は除湿機構１３ａを介してオゾン発生器１３へ導入され、ここで発生したオゾンはヒータ１０直後のダクト９内（もしくはダクト室１６）に送られ、ダクト室１６にて温風と均一に混合される。この時、オゾン発生器１３の能力は乾燥室３内におけるオゾン濃度が例えば０．０５〜０．２ｐｐｍになるように調整されている。
【００３６】
オゾン発生器１３の前段には除湿機構１３ａが備えられているので、図７に示したようなペルチェ素子１３ｂを使用している場合はエアポンプ１１からの空気はペルチェ素子１３ｂの冷却側で除湿された後、加熱側で暖められ、相対湿度を低くした状態でオゾン発生器１３に送られる。また、除湿機構１３ａが前述したような吸湿材料で構成されている場合は、吸湿材料を通過することにより湿度が下げられる。いずれの場合も、オゾン発生器１３の前段にあるので、オゾン発生器１３への導入空気を効率良く効果的に除湿することができ、前述した吸気フィルタ１９の吸湿材料による作用と相俟って、オゾン発生量がさらに安定し、またオゾン発生素子の寿命もより延ばすことができる。吸湿材料は前述のものと同様であり、同じく着脱可能であり、再利用できる。
【００３７】
乾燥室３内に吊り下げられたスーツの上着５等の衣類は、温風とオゾンにより設定時間、乾燥されると共に脱臭される。なお、オゾンは空気より比重が重いが、比重が軽くなった温風と混合されて温風と共に乾燥室３内に吹き出されるので、温風と共に乾燥室３内を上昇することができる。
【００３８】
乾燥室３内を通過した温風は、乾燥室３上部の排気口２１に装着されたオゾン除去フィルタ２２と吸湿フィルタ２２ａを通過する。この時、オゾン除去フィルタ２２では、余剰のオゾンを分解又は吸着し、オゾン濃度を０．１ｐｐｍ以下まで低下させて無害化してから、排気口２１より機外に放出される。
【００３９】
排気口２１には、オゾン除去フィルタ２２と共に吸湿フィルタ２２ａが備えられているので、排気口２１からの空気はオゾン除去に加えて除湿された後に機外に放出されるため、雰囲気湿度の上昇を抑えることができ、不快感が低下する。吸湿フィルタ２２ａの吸湿材料は前述したものと同様であり、同じく着脱可能であり、再生使用できるため経済的である。
【００４０】
図９は、本願発明の他の実施形態を示すシステム構成図であり、前記実施形態と同一符号は同一又は相当部分を示しており、外観等は前記実施形態と同じである。
【００４１】
本実施形態においては、前述した除湿機構１３ａに温風により再生可能な乾燥剤（ここではシリカゲル）を備えると共に、温風発生機構（ブロア８，ヒータ１０）からの温風を除湿機構１３ａのシリカゲルを介してオゾン発生器１３外に導くシリカゲル再生流路Ｐ１，Ｐ２，Ｐ３，Ｐ４と、温風発生機構（ブロア８，ヒータ１０）から乾燥室３への温風の流路Ｐを上記シリカゲル再生流路Ｐ１，Ｐ２，Ｐ３，Ｐ４に切り換える流路切換手段として三方バルブＶ１，Ｖ２、Ｖ３を備えたものである。なお、シリカゲル再生流路Ｐ２，Ｐ３は、オゾン発生機構のエアポンプ１１とオゾン発生器１３間の流路を有効利用したものである。
【００４２】
上記三方バルブＶ１，Ｖ２、Ｖ３は電動バルブで、制御部電源基板１４によって電源が供給されると共に流路切換が制御されるようになっている。ヒータ１０の出口側に設けられた三方バルブＶ１は、ヒータ１０からの温風を乾燥室３への流路Ｐとシリカゲル再生流路Ｐ１のいずれかに切り換える。また、オゾン発生機構のエアポンプ１１とオゾン発生器１３間に設けられた三方バルブＶ２は、除湿機構１３ａへの導入空気をエアポンプ１１からの空気か上記シリカゲル再生流路Ｐ１からの温風のいずれかに切り換える。そして、除湿機構１３ａとオゾン発生器１３間の三方バルブＶ３は、除湿機構１３ａからの空気をオゾン発生器１３か乾燥室３への流路Ｐと連結されたシリカゲル再生流路Ｐ４のいずれかに切り換えるようになっている。
【００４３】
また、乾燥室３上部の操作パネル２３には、通常の脱臭乾燥モードを選択操作する脱臭乾燥モードボタン２３ａとシリカゲル再生モードを選択操作するシリカゲル再生モードボタン２３ｂが備えられており、いずれかのボタンを選択操作することにより、制御部電源基板１４から上記三方バルブＶ１，Ｖ２，Ｖ３に電源が供給されて上述した脱臭乾燥モード時の流路かシリカゲル再生モード時の流路に切り換えられるようになっている。
【００４４】
以上のように、オゾン発生器１３の前段にシリカゲルを備えた除湿機構１３ａを設けることで、乾燥空気をオゾン発生器１３に供給できるようになり、前記実施形態と同様に湿気によるオゾン発生量の低下を防ぐことができると共に、オゾン発生素子の寿命も延ばすことができる。
【００４５】
さらに、本実施形態では、衣類を脱臭乾燥させる通常の脱臭乾燥モードでは、温風発生機構からはブロア８→ヒータ１０→三方バルブＶ１→流路Ｐ→乾燥室３へと温風が流れ、オゾン発生機構からはエアポンプ１１→三方バルブＶ２→除湿機構１３ａのシリカゲル→三方バルブＶ３→オゾン発生器１３→流路Ｐ→乾燥室３へとオゾンが送り込まれる。一方、操作パネル２３のシリカゲル再生モードボタン２３ｂを押すことで選択設定されるシリカゲル再生モードでは、上記三方バルブＶ１，Ｖ２，Ｖ３が他側に切り換えられると共にエアポンプ１１とオゾン発生器１３は停止でブロア８とヒータ１０が動作し、ブロア８→ヒータ１０→三方バルブＶ１→流路Ｐ１→三方バルブＶ２→流路Ｐ２→除湿機構１３ａのシリカゲル→流路Ｐ３→三方バルブＶ３→流路Ｐ４→流路Ｐ→乾燥室３へと温風流路が切り換えられる。シリカゲルは、再生が必要なまでに吸湿すると色がピンク色に変わるので、除湿機構１３ａ内に備えられたシリカゲルを透明なガラス窓等を介して機外から見えるようにしておけば、使用者等は再生時期を目視確認することができ、シリカゲル再生モードを実行することができる。
【００４６】
シリカゲルは空気中の湿気を吸収すると徐々に除湿能力を失うため、シリカゲルを定期的に交換しなければならないが、本実施形態では、上記のように流路切換を行うことで、温風によってシリカゲルに含まれる湿気は追い出され、乾燥室３を経由してそのまま機外に放出される。これによって、一度吸湿して除湿能力が失われたシリカゲルでも取り出さずに再生して再利用可能となり、シリカゲルの交換の手間や、そのランニングコストを低減することができる。
【００４７】
なお、上記のようにシリカゲルの湿気を含んだ空気が乾燥室３を経由するようにしても、シリカゲル再生モード時は乾燥室３内には衣類が収納されないので問題ないが、乾燥室３を経由しないで直接機外に排出するようにしても良い。
【００４８】
また、上記各実施形態では、上述したスーツ脱臭乾燥機を床置き用として説明したが、薄型であるので、本体１の背面側と壁面に壁面取付手段を備えれば壁掛け設置も可能となり、さらに上述した脚部２０を着脱可能に構成すれば、床置き用と壁掛け用のいずれにも対応することができる。
【００４９】
また、上述した各実施形態の乾燥機は、薄型で手軽に衣類の脱臭乾燥ができるので、ビジネスホテルなどの各室に設置したり、フロントで宿泊客の要望に応じて貸し出すのに好適であるが、一般家庭などでも１台備えておけば、家族で共用して手軽に衣類の脱臭乾燥を行うことができるので、非常に有用なものとなる。
【図面の簡単な説明】
【００５０】
【図１】本願発明の衣類乾燥機の一実施形態であるスーツ脱臭乾燥機の外観斜視図。
【図２】同じく、その平面図，正面図，側面図。
【図３】同じく、その内部構成を示す一部切欠き正面図。
【図４】同じく、そのシステム構成図。
【図５】上記乾燥機における機械室から乾燥室への吹き出し部の構成例を示す図。
【図６】吸湿繊維を備えた吸気フィルタの概要を示す図。
【図７】ペルチェ素子を用いた除湿機構の概要を示す図。
【図８】環境湿度とオゾン濃度の関係を示す図。
【図９】本願発明の他の実施形態を示すシステム構成図。
【符号の説明】
【００５１】
１  本体
２  扉
３  乾燥室
４  機械室
５  上着
６  ハンガー
７  吊り下げ具
８  ブロア
９  ダクト
１０  ヒータ
１１  エアポンプ
１３  オゾン発生器
１３ａ  除湿機構
１３ｂ  ペルチェ素子
１４  制御部電源基板
１６  ダクト室
１７  吹き出し部
１８  吸気口
１９  吸気フィルタ
１９ｂ  吸湿繊維
２０  脚部
２１  排気口
２２  オゾン除去フィルタ
２２ａ  吸湿フィルタ
２３  操作パネル
Ｐ，Ｐ１〜Ｐ４  流路
Ｖ１〜Ｖ３  三方バルブ
【図１】
2006149932.tif 000003
【図２】
2006149932.tif 000004
【図３】
2006149932.tif 000005
【図４】
2006149932.tif 000006
【図５】
2006149932.tif 000007
【図６】
2006149932.tif 000008
【図７】
2006149932.tif 000009
【図８】
2006149932.tif 000010
【図９】
2006149932.tif 000011